【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】
対向配置された第１の基板及び第２の基板と
当該基板間の距離を略一定に隔てるスペーサーと
その間に狭持された液晶層とを備える液晶表示装置であって、
前記第１の基板はゲート配線と、
前記ゲート配線と絶縁膜を介して交差するソース配線と、
前記ソース配線と接続されたスイッチング素子と、
前記スイッチング素子に接続され、複数本の略平行な電極よりなる液晶駆動電極と、
前記液晶駆動電極の前記電極と略平行かつ交互に配置された複数本の電極よりなる共通電極とを備え、
前記第２の基板はアレイ状に配置された着色層と
前記着色層の間に設けられた遮光層とを備え、
前記第１の基板と前記第２の基板を対向配置した際に、前記スペーサーは前記ゲート配線、前記液晶駆動電極及び前記共通電極が近接した、配向異常領域で第１の基板と接触することを特徴とする液晶表示装置。
【請求項２】
対向配置された第１の基板及び第２の基板と、
当該基板間の距離を略一定に隔てるスペーサーと、
その間に狭持された液晶層とを備える液晶表示装置であって、
前記第１の基板はゲート配線と、
前記ゲート配線と絶縁膜を介して交差するソース配線と、
前記ソース配線と接続されたスイッチング素子と、
前記スイッチング素子に接続され、複数本の略平行な電極よりなる液晶駆動電極と、
前記液晶駆動電極の前記電極と略平行かつ交互に配置された複数本の電極よりなる共通電極とを備え、
前記第２の基板はアレイ状に配置された着色層と、
前記着色層の間に設けられた遮光層とを備え、
前記第１の基板と前記第２の基板を対向配置した際に、前記スペーサーは前記ソース配線、前記液晶駆動電極及び前記共通電極が近接した、配向異常領域で第１の基板と接触することを特徴とする液晶表示装置。
【請求項３】
対向配置された第１の基板及び第２の基板と、
その基板間の距離を略一定に隔てるスペーサーと、
その間に狭持された液晶層とを備える液晶表示装置であって、
前記第１の基板はゲート配線と、
前記ゲート配線と絶縁膜を介して交差するソース配線と、
前記ソース配線と接続されたスイッチング素子と、
前記スイッチング素子に接続された液晶駆動電極と、
前記液晶駆動電極と対向して設けられた共通電極と、
前記ゲート配線と略平行に設けられ前記共通電極と接続する共通容量配線とを備え、
前記第２の基板はアレイ状に配置された着色層と、
前記着色層の間に設けられた遮光層とを備え、
前記第１の基板と前記第２の基板を対向配置した際に、前記スペーサーは前記ソース配線と前記共通容量配線の交差位置近傍の、配向異常領域で第１の基板と接触することを特徴とする液晶表示装置。
【請求項４】
請求項１乃至３いずれか記載の液晶表示装置であって、
前記スペーサーが前記遮光層の上に設けられていることを特徴とする液晶表示装置。
【請求項５】
対向配置された第１の基板及び第２の基板と、
その基板間の距離を略一定に隔てるスペーサーと、
その間に狭持された液晶層とを備える液晶表示装置であって、
前記第１の基板はゲート配線と、
前記ゲート配線と絶縁膜を介して交差するソース配線と、
前記ソース配線と接続されたスイッチング素子と、
前記スイッチング素子に接続された液晶駆動電極と、
前記液晶駆動電極と対向して設けられた共通電極と、
前記ゲート配線と略平行に設けられ前記共通電極と接続する共通容量配線とを備え、
前記第２の基板はアレイ状に配置された着色層と、
前記着色層の間に設けられた遮光層とを備え、
前記第１の基板と前記第２の基板を対向配置した際に、前記スペーサーが前記共通容量配線の上で第１の基板と接触し、かつ前記着色層の上で第２の基板と接触することを特徴とする液晶表示装置。
【請求項６】
前記スペーサーが前記着色層の上に設けられていることを特徴とする請求項５記載の液晶表示装置。
【請求項７】
前記スペーサーが第１の基板の上に設けられていることを特徴とする請求項１乃至３または５いずれか記載の液晶表示装置。
【請求項８】
前記スペーサーの形状が柱状であることを特徴とする請求項１乃至７いずれか記載の液晶表示装置。
【手続補正２】
【補正対象書類名】明細書
【補正対象項目名】００１５
【補正方法】変更
【補正の内容】
【００１５】
【課題を解決するための手段】
本発明にかかる液晶表示装置は対向配置された第１の基板及び第２の基板と、当該基板間の距離を略一定に隔てるスペーサー（例えば、本発明の実施の形態におけるスペーサー８）と、その間に狭持された液晶層とを備える液晶表示装置であって、前記第１の基板はゲート配線（例えば、本発明の実施の形態におけるゲート配線１）と、前記ゲート配線と絶縁膜を介して交差するソース配線（例えば、本発明の実施の形態におけるソース配線２）と、前記ソース配線と接続されたスイッチング素子と、前記スイッチング素子に接続され、複数本の略平行な電極よりなる液晶駆動電極（例えば、本発明の実施の形態における液晶駆動電極５）と、前記液晶駆動電極の前記電極と略平行かつ交互に配置された複数本の電極よりなる櫛状の共通電極例えば、本発明の実施の形態における共通電極６）とを備え、前記第２の基板はアレイ状に配置された着色層（例えば、本発明の実施の形態における着色層１０）と、前記着色層の間に設けられた遮光層（例えば、本発明の実施の形態におけるＢＭ９）とを備え、前記第１の基板と前記第２の基板を対向配置した際に、前記スペーサーが前記ゲート配線、前記液晶駆動電極及び前記共通電極が近接した、配向異常領域で第１の基板と接触することを特徴とするものである。これにより開口率を向上でき、輝度を向上させることができる。
【手続補正３】
【補正対象書類名】明細書
【補正対象項目名】００１６
【補正方法】変更
【補正の内容】
【００１６】
本発明にかかる液晶表示装置は対向配置された第１の基板及び第２の基板と、当該基板間の距離を略一定に隔てるスペーサーと、その間に狭持された液晶層とを備える液晶表示装置であって、前記第１の基板はゲート配線と、前記ゲート配線と絶縁膜を介して交差するソース配線と、前記ソース配線と接続されたスイッチング素子と、前記スイッチング素子に接続され、複数本の略平行な電極よりなる液晶駆動電極と、前記液晶駆動電極の前記電極と略平行かつ交互に配置された複数本の電極よりなる櫛状の共通電極とを備え、前記第２の基板はアレイ状に配置された着色層と、前記着色層の間に設けられた遮光層とを備え、前記第１の基板と前記第２の基板を対向配置した際に、前記スペーサーが前記ソース配線、前記液晶駆動電極及び前記共通電極が近接した、配向異常領域で第１の基板と接触することを特徴とするものである。これにより開口率を向上でき、輝度を向上させることできる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本発明にかかる液晶表示装置は対向配置された第１の基板及び第２の基板と、その基板間の距離を略一定に隔てるスペーサーと、その間に狭持された液晶層とを備える液晶表示装置であって、前記第１の基板はゲート配線と、前記ゲート配線と絶縁膜を介して交差するソース配線と、前記ソース配線と接続されたスイッチング素子と、前記スイッチング素子に接続された液晶駆動電極と、前記液晶駆動電極と対向して設けられた共通電極と、前記ゲート配線と略平行に設けられ前記共通電極と接続する共通容量配線（例えば、本発明の実施の形態における共通容量配線７）とを備え、前記第２の基板はアレイ状に配置された着色層と前記着色層の間に設けられた遮光層とを備え、前記第１の基板と前記第２の基板を対向配置した際に、前記スペーサーが前記ソース配線と前記共通容量配線の交差位置近傍の、配向異常領域で第１の基板と接触することを特徴とするものである。これにより開口率を向上でき、輝度を向上させることできる。
【手続補正６】
【補正対象書類名】明細書
【補正対象項目名】００２４
【補正方法】削除
【補正の内容】